(57)【要約】【課題】  ゴミ袋内の空気を排気してゴミを圧縮した後にゴミ袋を縛る際にゴミ袋が再度膨らむ問題を解消するゴミ袋排気治具を得る。【解決手段】  筒状本体部と、この一端側に形成された排気口と、筒状本体部の他端側に形成されたゴミ袋内の空気を吸引する吸気口と、筒状本体部内で排気口と給気口とを連通する連通路とを備えたゴミ減容化治具において、連通路内に配された排気口から吸気口への空気の流通を阻害する逆止弁を更に備えたもの。【選択図】      図１
2014218358.tif 000002
【特許請求の範囲】
【請求項１】
筒状本体部と、この一端側に形成された排気口と、筒状本体部の他端側に形成されたゴミ袋内の空気を吸引する吸気口と、前記筒状本体部内で排気口と給気口とを連通する連通路とを備えたゴミ減容化治具において、
前記連通路内に配された排気口から吸気口への空気の流通を阻害する逆止弁を更に備えたことを特徴とするゴミ減容化治具。
【請求項２】
請求項１に記載されたゴミ減容化治具において、
前記ゴミ袋内のゴミによる前記吸気口の閉塞を防止する前記筒状本体部の吸気口先端部に形成された溝状及び／又は前記筒状本体部の吸気口先端側部に形成された孔状の予備吸気口とを更に備えたことを特徴とするゴミ減容化治具。
【請求項３】
請求項１又は２に記載されたゴミ減容化治具において、
前記ゴミ袋の絞り込んだ開口部内に前記吸気口を挿入した際に絞り込んだ開口部を筒状本体部の側壁部に固定するための固定手段とを更に備えたことを特徴とするゴミ減容化治具。
【請求項４】
前記固定手段として、一端を筒状本体部の排気口近傍に固定したゴム線材を備えたことを特徴とする請求項３に記載のゴミ減容化治具。
【請求項５】
前記固定手段として、一端を筒状本体部の排気口近傍に固定した紐部材と、この紐部材の他端に連結されたクリップ部とを備えたことを特徴とする請求項３に記載のゴミ減容化治具。
【請求項６】
請求項１〜５の何れか１項のゴミ減容化治具を用いたゴミ減容化方法であって、
内部にゴミを収容したゴミ袋の絞り込んだ開口部に前記治具の吸気口を挿入し、前記固定手段で絞り込んだ開口部を筒状本体部の側壁部に固定する取付け工程と、
前記ゴミ袋内の空気を吸気口から排気口外へ脱気する脱気工程と、
脱気されたゴミ袋の開口部下方の頸部を閉塞する閉塞工程と、
閉塞されたゴミ袋から前記治具を取り外す取外し工程とを備えたことを特徴とするゴミ減容化方法。
【発明の詳細な説明】
【技術分野】
【０００１】
本発明は、例えば、家庭用掃除機等の吸引装置でゴミ袋内の空気を脱気することにより、ゴミ袋内のゴミを圧縮することができるゴミ減容化システムを構成するゴミ減容化治具及び該治具を用いたゴミ減容化方法に関するものである。
【背景技術】
【０００２】
例えば、新規の内装施工又はリフォームの内装施工する際には、壁紙のスリッター裁断ミミ、ジョイント部の重ね切り残材、養生シート等々のゴミが廃棄される。これら施工の際に廃棄されたゴミは施工業者が取り纏めた後、市販のゴミ袋等に入れて持ち帰り、事業系ゴミ等として処分されている。
【０００３】
これら施工の際に廃棄されたゴミについて、事業所へ持ち帰る際には作業員、作業道具、作業工具、材料等の運搬も行わなければならない状況が想定されるため、容積をなるべく小さくする必要があった。
【０００４】
また、一般ゴミにおいても、容積をなるべく小さくして廃棄することは搬送車両の台数が少なくなるため等の点でエコロジーであるだけでなく、指定のゴミ袋を購入する自治体やゴミの容積に応じて回収料金等が定まっている自治体もあり、更には、コンテナでゴミの回収を行っている地域もあり、ゴミの容積を小さくしてより多くコンテナに詰め込むことを行う要望もある。このように、ゴミの廃棄時にゴミの嵩を減らすことは小さなゴミ袋を購入することやコンテナによるゴミの回収料金を低減することになり経済的でもある。
【０００５】
そこで、家庭や事業所及びオフィス等で廃棄する廃プラゴミや紙屑・シュレッダーゴミ等の嵩張りの大きいゴミを収納したゴミ袋について、電気掃除機の吸引力を利用して、簡単な構成、簡単な操作で圧縮し減容化を図る吸引圧縮減容装置が既に提案されている（例えば、特許文献１参照）。
【先行技術文献】
【特許文献】
【０００６】
【特許文献１】特開２００７−１３６１４４
【発明の概要】
【発明が解決しようとする課題】
【０００７】
しかしながら、電気掃除機の吸引を停止した後にゴミ袋の口を縛る際に再度ゴミ袋が膨らんでしまう問題があった。尚、再度ゴミ袋が膨らまないように電気掃除機の吸引による脱気を行いながらゴミ袋の口を縛る作業を行う場合には、電気掃除機を常時作動せねばならず、モータ・吸引ホース等に多大な負担を掛けてしまう問題が発生する。
【０００８】
本発明は、ゴミ袋内の空気を排気してゴミを圧縮した後にゴミ袋を縛る際にゴミ袋が再度膨らむ問題を解消するゴミ減容化システムを構成する治具を得ることを目的とする。より具体的には、ゴミ減容化システムとして、ゴミを内部に収容した市販のゴミ袋を減容化した後にゴミ袋が再度膨らむことを防止する治具及び装置や、減容化したゴミ袋を再度膨らまずに維持させるゴミ減容化治具及びゴミ減容化方法を得ることを目的とする。
【課題を解決するための手段】
【０００９】
請求項１に記載された発明に係るゴミ減容化治具は、筒状本体部と、この一端側に形成された排気口と、筒状本体部の他端側に形成されたゴミ袋内の空気を吸引する吸気口と、前記筒状本体部内で排気口と給気口とを連通する連通路とを備えたゴミ減容化治具において、
前記連通路内に配された排気口から吸気口への空気の流通を阻害する逆止弁を更に備えたことを特徴とするものである。
【００１０】
請求項２に記載された発明に係るゴミ減容化治具は、請求項１に記載されたゴミ減容化治具において、
前記ゴミ袋内のゴミによる前記吸気口の閉塞を防止する予備吸気口を更に備え、
前記予備吸気口が、前記筒状本体部の吸気口先端部に形成された溝状予備吸気口及び／又は前記筒状本体部の吸気口先端側部に形成された孔状予備吸気口であることを特徴とするものである。
【００１１】
請求項３に記載された発明に係るゴミ減容化治具は、請求項１又は２に記載されたゴミ減容化治具において、
ゴミ袋の絞り込んだ開口部内に前記吸気口を挿入した際に絞り込んだ開口部を筒状本体部の側壁部に固定するための固定手段とを更に備えたことを特徴とするものである。
【００１２】
請求項４に記載された発明に係るゴミ減容化治具は、請求項３に記載された固定手段として、一端を筒状本体部の排気口近傍に固定したゴム線材を備えたことを特徴とするものである。
【００１３】
請求項５に記載された発明に係るゴミ減容化治具は、請求項３に記載された固定手段として、一端を筒状本体部の排気口近傍に固定した紐部材と、この紐部材の他端に連結されたクリップ部とを備えたことを特徴とするものである。
【００１４】
請求項６に記載された発明に係るゴミ減容化方法は、請求項１〜５の何れか１項のゴミ減容化治具を用いたゴミ減容化方法であって、
内部にゴミを収容したゴミ袋の絞り込んだ開口部に前記治具の吸気口を挿入し、前記固定手段で絞り込んだ開口部を筒状本体部の側壁部に固定する取付け工程と、
前記ゴミ袋内の空気を吸気口から排気口外へ脱気する脱気工程と、
脱気されたゴミ袋の開口部下方の頸部を閉塞する閉塞工程と、
閉塞されたゴミ袋から前記治具を取り外す取外し工程とを備えたことを特徴とするものである。
【発明の効果】
【００１５】
本発明は、ゴミ袋内の空気を排気してゴミを圧縮した後にゴミ袋を縛る際にゴミ袋が再度膨らむ問題を解消することができるという効果がある。これにより、容積を小さくしてゴミを廃棄することが可能となる。
【図面の簡単な説明】
【００１６】
【図１】本発明のゴミ減容化治具の一実施例の構成を示す平面図である。
【図２】図１のゴミ減容化治具の断面図である。
【図３】図１のゴミ減容化治具の装着を示す説明図である。
【図４】図１のゴミ減容化治具の脱気後のバンド緊締状態を示す説明図である。
【図５】図４で使用するゴムバンドの構成を示す説明図である。
【図６】本発明のゴミ減容化治具の別の実施例の構成を示す平面図である。
【図７】図６のゴミ減容化治具の断面図である。
【図８】ゴミ減容化治具の更に別の実施例の装着を示す説明図である。
【図９】ゴミ減容化治具を用いたゴミ減容化装置の構成を示す説明図である。
【発明を実施するための形態】
【００１７】
本発明においては、筒状本体部と、この一端側に形成された排気口と、筒状本体部の他端側に形成されたゴミ袋内の空気を吸引する吸気口と、前記筒状本体部内で排気口と給気口とを連通する連通路とを備えたゴミ減容化治具である。即ち、本発明のゴミ減容化治具は電気掃除機等の負圧吸引ホースに連結してゴミ袋内の空気を脱気させる際に使用する治具であり、この治具を用いて良好にゴミ袋の容積を低減させることができる。
【００１８】
本発明のゴミ減容化治具は市販のゴミ袋の開口に取付け、ゴミ袋内の空気を排気後、治具が取付けられた開口の本体側をきつく縛った上で、治具を取り外す。これにより、一つの治具を繰り返し利用することができ、経済的である。
【００１９】
本発明では、連通路内に配された排気口から吸気口への空気の流通を阻害する逆止弁を更に備えることにより、ゴミ袋が再度膨らむ問題を解消する。また、ゴミ袋を外方から手等で押圧して内部の空気を排気させて使用しても、逆止弁の作用でゴミ袋が再度膨らむ問題が解消される。
【００２０】
逆止弁は排気口と吸気口とを連通する連通路内に少なくとも１つあればよい。２つ以上の逆止弁を備える場合には、筒状本体部の軸に対して対称に配される方が逆止弁が均一に開閉するように配することが誤動作の防止に繋がる。尚、逆止弁の作用によってゴミ袋が再度膨らむことを阻害するため、排気口に負圧吸引ホースに連結せずに、ゴミ袋を外方から手等で押圧して内部の空気を排気させて使用することも可能となる。この場合は弱い圧力でも逆止弁の開閉が行われるように、極端な経時劣化を起こさない程度に逆止弁を薄くして密着性と可動性とを高める工夫を行っても良い。
【００２１】
本発明の好ましい態様としてのゴミ減容化治具では、電気掃除機等の負圧吸引ホース側コネクタに連結してゴミ袋内の空気を排気させる際に、ゴミ袋内のゴミによる吸気口の閉塞を防止する予備吸気口を更に備える。この予備吸気口としては、筒状本体部の吸気口先端部に形成された溝状予備吸気口や、筒状本体部の吸気口先端側部に形成された孔状予備吸気口がある。
【００２２】
特に、先端部に形成された溝状予備吸気口は、溝の長さが短いと先端部の吸気口が閉塞しやすくなるため、長くすると閉塞が少なくなるが先端部の強度が低下する。また、側部に形成される孔状予備吸気口については、側方からの閉塞を防止するために、孔状の予備吸気口の開口縁を側壁面と同じ高さとするのではなく、筒状本体部の吸気口の先端方向を低くするように傾ける等の工夫を行っても良い。
【００２３】
一方、排気口についても、電気掃除機等の負圧吸引ホース側コネクタに連結され易く、連結部分から空気が漏れ難くする工夫を行っても良い。具体的には、負圧吸引ホース側を内設させて連結する場合には、吸引ホース側コネクタの外側壁を確実に接触するために排気口の内側に環状パッキンを備えたり、吸引ホース側コネクタの内側壁を確実に接触するために排気口の外側をテーパー状としたり、このテーパー状の外壁面にゴム層を形成する等の工夫を行っても良い。
【００２４】
本発明の更に好ましい態様としてのゴミ減容化治具では、ゴミ袋内の空気を排気してゴミを圧縮する作業を容易とするために、ゴミ袋の絞り込んだ開口部内に吸気口を挿入した際に絞り込んだ開口部を筒状本体部の側壁部に固定するための固定手段を備える。
【００２５】
好ましい固定手段としては、一端を筒状本体部の排気口近傍に固定したゴム線材を備えるものであれば、構成も容易であり、安価に提供することができる。ゴム線材の固定は、ゴミ袋の開口部を絞った上からゴム線材で筒状本体部の側壁部に巻いて他端部を自身のゴム線材の下方に入れ込むように結んで固定する。尚、このゴム線材の他端部を固定する筒状本体部の側壁部に形成された溝部等を備えても良い。尚、ゴム線材としては、中実、中空のゴム線材が使用可能である。また、ゴムの材質としてはシリコン・エラストマー・クロロプレン等が選択される。
【００２６】
また、他の好ましい例としては、一端を筒状本体部の排気口近傍に固定した紐部材と、この紐部材の他端に連結されたクリップ部とを備えるものであれば、装着が容易となる利点が得られる。尚、クリップ部としては、筒状本体部の側壁部の曲面に対応した挟持部を備えることにより、ビニル袋の開口部と筒状本体部の側壁部とが良好に密着し空気の漏れが無くなる。
【００２７】
固定手段による絞り込んだゴミ袋の開口部を筒状本体部の側壁部に有効に固定するために、筒状本体部の側壁部とゴミ袋の開口部との摩擦力を上げるために、側壁部の表層部にゴム層を形成する等の工夫を行っても良い。
【００２８】
本発明のゴミ減容化方法では、内部にゴミを収容したゴミ袋の絞り込んだ開口部に逆止弁で排気口から吸気口への空気の流通を阻害するゴミ減容化治具の吸気口を挿入し、固定手段で絞り込んだ開口部を筒状本体部の側壁部に固定する取付け工程と；ゴミ袋内の空気を吸気口から排気口外へ脱気する脱気工程と；脱気されたゴミ袋の開口部下方の頸部を閉塞する閉塞工程と；閉塞されたゴミ袋から前記治具を取り外す取外し工程とを備える。これにより、容積を小さくしてゴミを廃棄することが可能となる。更に、ゴミ袋内の空気が脱気されるため、ゴミ袋内の酸素量が低減されることになる。このため、ゴミ袋内に生ゴミが収納された場合には、脱気工程と閉塞工程とにより臭気の拡散が押さえられ、尚且つ、ゴミ袋内での生ゴミの腐敗が抑制されることにもなる。
【００２９】
脱気されたゴミ袋の開口部下方の頸部を閉塞する閉塞工程は、ゴミ袋の開口部を開口部を自身の頸部で結び目をつくって止め結びとしてもよく、ゴミ袋の開口部下方の頸部を紐状の部材、線状の弾性体等で結束しても良い。
【実施例】
【００３０】
図１は本発明のゴミ減容化治具の一実施例の構成を示す平面図である。図２は図１のゴミ減容化治具の断面図である。図３は図１のゴミ減容化治具の装着を示す説明図である。図４は図１のゴミ減容化治具の脱気後のバンド緊締状態を示す説明図である。図５は図４で使用するゴムバンドの構成を示す説明図である。
【００３１】
図１及び図２に示す通り、本実施例のゴミ減容化治具１０は、円筒状の筒状本体部１１の一端側に形成された排気口１２と、この排気口１２に連通した筒状本体部１１の他端側に形成されたゴミ袋内の空気を吸引する吸気口１３とを備える。
【００３２】
排気口１２と吸気口１３とを連通する連通路内には、排気口１２から吸気口１３への空気の流通を阻害する逆止弁１４を備える。逆止弁１４は、排気口１２に連通する多数の連通孔１５が形成された隔壁１６と、吸気口１３に連通する多数の連通孔１７が形成された隔壁１８との間に配され、隔壁１８の連通孔１７へ向かう流れを阻害するように隔壁１８に装着されている。
【００３３】
また、吸気口１３には、吸気口１３の閉塞を防止するために、吸気口１３の先端開口部に補助吸気口としての多数の溝１９が形成されている。また、筒状本体部１１の吸気口先端側壁部に補助吸気口としての多数の側壁孔２０が形成されている。一方、排気口１２のテーパー外壁面内２２に電気掃除機等の負圧吸引ホースのコネクタ２４の内縁部が連結されている。
【００３４】
更に、ゴミ袋の絞り込んだ開口部内に前記吸気口を挿入した際に絞り込んだ開口部を筒状本体部の側壁部に固定手段によって固定する。本実施例の固定手段としては、一端を筒状本体部の排気口近傍に固定した中空のゴム線材であるゴム管材２１を備える。
【００３５】
図２及び図３に示されている通り、ゴミ３１を収容したゴミ袋３０の開口部にゴミ減容化治具１０の吸気口１３を挿入した上でゴミ袋の開口部を絞った上でゴム管材２１で筒状本体部１１の側壁部に巻いて他端部を自身のゴム管材２１の下方に入れ込むように結んで固定する。
【００３６】
図４に示す通り、ゴミ減容化治具１０の排気口１２からゴミ袋３０内の空気を抜きだしてゴミ袋自体の容積を小さくする。この際の排気口１２からゴミ袋３０内の空気の抜き出しは、電気掃除機等の負圧吸引ホースを用いても良いし、ゴミ袋を外方から手等で押圧して内部の空気を排気させて使用しても良い。
【００３７】
排気口１２からゴミ袋３０内の空気を脱気した際に、電気掃除機等の駆動を止めて、脱気をストップさせたり、吸引ホースをゴミ減容化治具１０から抜いても、逆止弁１４によって、排気口１２から吸気口１３への空気の流通が阻害されるため、ゴミ袋３０が再度膨らむことがない。
【００３８】
このため、この段階でゴムバンド５０によってゴミ減容化治具１０の下方のゴミ袋３０の頸部を縛って外気と遮断を行った上で、ゴミ減容化治具１０のゴム管材２１の掛止を解いてゴミ減容化治具１０をゴミ袋３０から取り外す。これにより、一つの治具を繰り返し利用することができ、経済的である。
【００３９】
図５は図４で使用するゴムバンドの構成を示す説明図である。ゴムバンド５０は脱気されたゴミ袋３０の頸部を縛って外気と遮断してゴミ袋が再度膨らむことを防ぐ。このゴムバンド５０は、掛止部５１とゴム管部５２とから構成される。掛止部５１は厚さ１ｍｍ程度の角丸四角形のプラスチック片に３つの穴５３が穿設されている。中央と一端部の２つの穴５３にはゴム管部５２の一端部が挿通固定されていおり、他端部の穴５３は切欠が形成されており、ゴム管部５２の他端部が掛止される。
【００４０】
図６は本発明のゴミ減容化治具の別の実施例の構成を示す平面図である。図７は図６のゴミ減容化治具の断面図である。図に示す通り、別の実施例のゴミ減容化治具６０は、円筒状の筒状本体部６１の一端側に形成された排気口６２と、この排気口６２に連通した筒状本体部６１の他端側に形成されたゴミ袋内の空気を吸引する吸気口６３とを備える。
【００４１】
排気口６２と吸気口６３とを連通する連通路内には、排気口６２から吸気口６３への空気の流通を阻害する逆止弁６４を同心円状に４つ備える。逆止弁６４は、排気口６２に連通する多数の連通孔１５が形成された隔壁６６と、吸気口６３に連通する多数の連通孔６７が形成された隔壁６８との間に配され、隔壁６８の連通孔６７へ向かう流れを阻害するように隔壁６８に装着されている。
【００４２】
また、吸気口６３には、吸気口６３の閉塞を防止するために、吸気口６３の先端開口部に補助吸気口としての多数の溝６９が形成されている。また、筒状本体部６１の吸気口先端側壁部に補助吸気口としての多数の側壁孔７０が形成されている。一方、排気口６２の内壁面には電気掃除機等の負圧吸引ホースのコネクタ７４が装着された際に密閉性を向上させるために２列の環状パッキン７２が配されている。
【００４３】
更に、ゴミ袋の絞り込んだ開口部内に前記吸気口を挿入した際に絞り込んだ開口部を筒状本体部の側壁部に固定手段によって固定する。本実施例の固定手段としては、一端を筒状本体部の排気口近傍に固定した中空のゴム線材であるゴム管材７１と、このゴム管材７１の他端部を固定する筒状本体部の側壁部に形成された溝部７３とを備える。
【００４４】
ゴミ８１を収容したゴミ袋８０の開口部にゴミ減容化治具６０の吸気口６３を挿入した上でゴミ袋の開口部を絞った上でゴム管材７１で筒状本体部６１の側壁部に巻いて他端部を溝部７３に装着して固定する。
【００４５】
ゴミ減容化治具６０の排気口６２からゴミ袋８０内の空気を抜きだしてゴミ袋自体の容積を小さくする。この際の排気口６２からゴミ袋８０内の空気の抜き出しは、電気掃除機等の負圧吸引ホースを用いても良いし、ゴミ袋を外方から手等で押圧して内部の空気を排気させて使用しても良い。
【００４６】
排気口６２からゴミ袋８０内の空気を脱気した際に、電気掃除機等の駆動を止めて、脱気をストップさせたり、吸引ホースをゴミ減容化治具６０から抜いても、逆止弁６４によって、排気口６２から吸気口６３への空気の流通が阻害されるため、ゴミ袋８０が再度膨らむことがない。
【００４７】
このため、この段階で紐８２や結束具等によってゴミ減容化治具６０の下方のゴミ袋８０の頸部を縛って外気との遮断を行った上で、ゴミ減容化治具６０のゴム管材７１の掛止を解いてゴミ減容化治具６０をゴミ袋８０から取り外す。これにより、一つの治具を繰り返し利用することができ、経済的である。
【００４８】
図８はゴミ減容化治具の更に別の実施例の装着を示す説明図である。図８に示す通り、ゴミ袋３０の開口への固定手段としては、ゴム管材２１の他にも種々のものが考慮される。本実施例のゴミ減容化治具６０ｂは、図６に示されたゴミ減容化治具６０の固定手段のみを相違させている。具体的には、ゴム管材７１及びこのゴム線材の他端部を固定する溝部７２が形成されず、クリップ部７１ｂが紐部材（図示せず）によって筒状本体部に連結されている。
【００４９】
このため、ゴミ減容化治具６０ｂの排気口からゴミ袋８０内の空気を抜きだしてゴミ袋自体の容積を小さくし、紐等によってゴミ減容化治具６０ｂの下方のゴミ袋８０の頸部を縛って外気との遮断を行う際にもゴミ袋８０が再度膨らむことがないことは図６の実施例と同様である。
【００５０】
図９はゴミ減容化治具を用いたゴミ減容化装置の構成を示す説明図である。図９に示す通り、本実施例のゴミ減容化装置９０はゴミ収集コンテナ９１の近くに配置される。主な構成としては、電気掃除機と同様の負圧吸引ホースの先端部に図１（又は図６）に示されたゴミ減容化治具１０が配されている。また、図示してはいないが、図５に示されたゴムバンド５０がゴミ減容化装置９０の収納箱９２内に収納されている。
【００５１】
先ず、内部にゴミ３１を収容したゴミ袋３０の絞り込んだ開口部にゴミ減容化治具１０の吸気口を挿入し、固定手段としてのゴム管材２１で絞り込んだ開口部を筒状本体部の側壁部に固定する。次に、減容化装置９０を駆動してゴミ袋３０内の空気を吸気口から排気口外へ脱気する。脱気によってゴミ袋の容積が１／３程度に小さくなったら装置９０の駆動を止める。収納箱９２内のゴムバンド５０を取り出し、脱気されたゴミ袋３０の開口部下方の頸部を閉塞するようにしっかりと縛る。閉塞されたゴミ袋３０から治具１０を取り外し、減容されたゴミ袋３０をコンテナ内に投函する。
【００５２】
以上の通り、本実施例では市販のゴミ袋を使用する例を示しており、長期間の圧縮状態を保持できるように、袋の厚みを厚くし、ラミネート加工を施す等の耐圧性を高めたゴミ袋を特別に製造し使用することは想定していない。このため、耐圧性を高めたゴミ袋と比較して、コスト的に安価である長所がある。その一方で、市販のゴミ袋は薄く破れやすい短所もあることは否めない。しかしながら、本実施例では閉塞工程で結束具やゴムバンド等によってゴミ袋の頸部を縛って閉塞する。この際に、紐、結束具、ゴムバンドによる頸部の縛り位置を圧縮されたゴミの直上とすることにより、圧縮時後に小さな穴が等により再膨張する場合でも紐、結束具、ゴムバンド等によって容積が規制されているため、ゴミ袋の再膨張は規制されることとなる利点も有する。
【産業上の利用可能性】
【００５３】
ゴミ袋内の空気を排気してゴミを圧縮した後にゴミ袋を縛る際にゴミ袋が再度膨らむ問題を解消することができるため、ゴミ袋の減容化を図ることできるため、エコロジーであるだけでなく経済的でもある。
【符号の説明】
【００５４】
１０、６０…ゴミ減容化治具、
１１、６１…筒状本体部、
１２、６２…排気口、
１３、６３…吸気口、
１４、６４…逆止弁、
１５、６５…連通孔、
１６、６６…隔壁、
１７、６７…連通孔、
１８、６８…隔壁、
１９、６９…溝、
２０、７０…側壁孔、
２１、７１…ゴム管材（中空ゴム線材）、
２２、７２…テーパー外壁面
７２…環状パッキン、
７３…溝部、
２４、７４…コネクタ、
５０    …ゴムバンド、
５１    …掛止部、
５２    …ゴム管部、
６０ｂ  …ゴミ減容化治具、
７１ｂ  …クリップ部、
【図１】
2014218358.tif 000003
【図２】
2014218358.tif 000004
【図３】
2014218358.tif 000005
【図４】
2014218358.tif 000006
【図５】
2014218358.tif 000007
【図６】
2014218358.tif 000008
【図７】
2014218358.tif 000009
【図８】
2014218358.tif 000010
【図９】
2014218358.tif 000011